(57)【要約】この発明は、コンパクトディスクまたはＤＶＤ等の少なくとも１つの画像、音声またはデータ記憶媒体の収納ケースに関する。少なくとも１つの画像、音声またはデータ記憶媒体を収納する内部は、リンケージ（９ａ、９ｂ）によって相互に結合される２つベース材によって囲まれている。第１のベース材（１）は、データ記憶媒体を保持する。第２のベース材（２）は、蓋からなっており、収納ケースが閉じられたとき、その内部を密閉する。収納ケースから引き抜くことができる固定部品（２０）は、２つのベース材の間に配置されて、第１の長軸縁部（１０）の反対側に位置する第２の長軸縁部（１１）において、ベース材を相互にロックする。この発明の収納ケースは、内部に突き出た固定構造（２１、２２）を備えており、そのコンテンツが許可の無いアクセスから保護され、その大きさが従来の収納ケースの大きさを超えない、大量生産可能、低コストの収納ケースが提供される。第１の固定構造（２１）は、第１のベース材に堅固に接続されて、固定部品（２０）を取り囲み、第２の固定構造（２２）は、第２のベース材に堅固に接続されて、固定部品（２０）を取り囲む。
2005529813.tif 000002
【特許請求の範囲】
【請求項１】
例えば、コンパクトディスクまたはＤＶＤ等の少なくとも１つの画像、音声またはデータ記憶媒体の収納ケースであって、
２つの実質的に四角のベース材を備え、リンケージ（９ａ、９ｂ）を介して第１の長軸縁部（１０）に沿って相互に結合され、その間に画像、音声またはデータ記憶媒体を収容する内部空間を備えており、
前記２つのベース材のうち第１のベース材（１）は、少なくとも１つのデータ記憶媒体を保持し、対応する保持手段を備え、第２のベース材（２）は、蓋からなっており、
収納ケースを閉じた状態においては、収納ケースの内部空間を閉鎖し、ベース材（１、２）のそれぞれ相対する内側（２３、１７）の間に位置する固定部品（２０）を備え、固定部品を収納ケースから引き抜くことができ、第１の長軸縁部（１０）の反対側に位置する第２の長軸縁部（１１）において、ベース材を相互に固定する収納ケースであって、
前記第１のベース材（１）に固定的に接続され、収納ケースの内部に向かって延伸した第１の固定機構（２１）が、その側方に位置する前記固定部品（２０）と結合し、そして、前記第２のベース材（２）に固定的に接続され、収納ケースの内部に向かって延伸した第２の固定機構（２２）が、その側方に位置する前記固定部品（２０）と結合することを特徴とする収納ケース。
【請求項２】
前記ベース材（１、２）の各々が、画像、音声またはデータ記憶媒体と平行に延びる主壁面（８、７）、前記主壁面と直交して延伸して収納ケースを閉じる端壁面（３、４、５、６）によって組み立てられ、前記第１および第２の固定構造（２１、２２）は、前記主壁面（８、７）と一体的に形成されて、収納ケースの内側に向けて突出していることを特徴とする、請求項１に記載の収納ケース。
【請求項３】
前記第１の固定構造（２１）は、アーチ形状で内部空間に突出していることを特徴とする、請求項１または２に記載の収納ケース。
【請求項４】
前記第２の固定構造（２２）は、鉤状に曲げられたラッチ形状で内部空間に突出していることを特徴とする、請求項１から３の何れか１項に記載の収納ケース。
【請求項５】
前記固定部品（２０）が前記第２の長軸縁部に平行に延びている棒状物からなっていることを特徴とする、請求項１から４の何れか１項に記載の収納ケース。
【請求項６】
前記棒状物は、実質的に第２の長軸縁部（１１）の全長にわたって延伸し、そして、前記第１および第２の固定構造（２１、２２）は、第２の長軸縁部のそれぞれの端部近傍に位置していることを特徴とする、請求項５に記載の収納ケース。
【請求項７】
前記固定部品（２０）は、引く抜き方向において、第１および第２のベース材（１、２）の少なくとも１つに対して、ポジティブフィット方法でブロックされていることを特徴とする、請求項１から６の何れか１項に記載の収納ケース。
【請求項８】
前記固定部品（２０）は、引く抜き方向において、引き抜き方向に直交して延びるバネ付ブロック片（２７）によってブロックされていることを特徴とする、請求項７に記載の収納ケース。
【請求項９】
前記ブロック片（２７）は、磁化可能な金属からなっており、前記固定部品（２０）に固定されていることを特徴とする、請求項１から８の何れか１項に記載の収納ケース。
【請求項１０】
収納ケースのハウジングには開口部が設けられ、前記開口部を通って前記固定部品（２０）が引き抜かれ、そして、前記固定部品（２０）にはプレートが設けられ、収納ケースを固定した状態においては、前記プレートが前記開口部を閉じることを特徴とする、請求項１から９の何れか１項に記載の収納ケース。
【請求項１１】
前記ブロック片（２７）が、前記固定部品（２０）の上の前記プレートの直ぐ後に配置されていることを特徴とする、請求項１０に記載の収納ケース。
【請求項１２】
前記固定構造（２１、２２）対の１つが、前記第２のベース材（２）の内側（１７）に沿って延びるラッチ（１８）と一体的に形成され、前記内側（１７）に配置されるフォリオ（１６）または書類の保持ラッチとして機能することを特徴とする、請求項１から１１の何れか１項に記載の収納ケース。
【請求項１３】
前記第１および第２の固定構造（２１、２２）が、前記固定部品（２０）の長軸方向において相互にオフセットであることを特徴とする、請求項１から１２の何れか１項に記載の収納ケース。
【請求項１４】
第１の固定構造（２１）は対として形成されており、前記固定部品（２０）の長軸方向からみたときに、前記第２の固定構造（２２）が前記第１の固定構造の対の間に位置していることを特徴とする、請求項１０に記載の収納ケース。
【請求項１５】
前記第１のベース材（１）は主部材であって、蓋（２）と共に、収納ケースのハウジングを形成し、前記主部材にはその縁部に沿って小さな側壁面（４、５、６）が設けられ、第１の固定構造（２１）は、前記小さな側壁面（４、５、６）の高さを越えて延伸しないことを特徴とする、請求項１から１４の何れか１項に記載の収納ケース。
【発明の詳細な説明】
【技術分野】
【０００１】
本発明は、例えば、コンパクトディスクまたはＤＶＤ等の少なくとも１つの画像、音声またはデータ記憶媒体の収納ケースであって、２つの実質的に四角のベース材を備え、リンケージを介して第１の長軸縁部に沿って相互に結合され、その間に画像、音声またはデータ記憶媒体を収容する内部空間を備えており、２つのベース材のうち第１のベース材は、少なくとも１つのデータ記憶媒体を保持し、対応する保持手段を備え、第２のベース材は、蓋からなっており、収納ケースを閉じた状態においては、収納ケースの内部空間を閉鎖し、ベース材のそれぞれ相対する内側の間に位置する固定部品を備え、固定部品を収納ケースから引き抜くことができ、第１の長軸縁部の反対側に位置する第２の長軸縁部において、ベース材を相互に固定する収納ケースに関する。
【背景技術】
【０００２】
保障された収納ケースは、例えば、米国特許５，５９８，７２８および米国特許５，９８８，３７６から公知である。その中に収納されている画像、音声、またはデータ記憶媒体の盗難から安全を確保するために、収納ケースの保護は、収納ケースの外部から適用するロックを使用することによって効果を納めている。このロックは、開閉する収納ケースの２つの小さい側面にフック状の突起と対応する窪みによって、結合する。更に、２つの縦長のフランジがロックの上に形成され、それが収納ケースの長軸縁部を完全に覆う。これによって、収納ケースのハウジングは、少なくとも力を行使しない限り、開けることができない。収納ケースの内部への許可のないアクセスに対するこれらの手段の有効性は更に向上される。即ち、通常開閉が可能な収納ケースの長軸縁部にロックをつけると、他方の長軸縁部はヒンジとして機能するので、力を行使しないと、開くことができない。
【０００３】
米国特許５，５９８，７２８および米国特許５，９８８，３７６によって示唆される保障された収納ケースは、製造が複雑で、従って、コストが高くつく。更に、これらの収納ケースによると、収納ケースのサイズが大きくなる。現在、収納ケースは、多量に低コストで製造しなければならない。更に、実質的に世界規模で統一された大きさのシステムに収容できなければならない。収納ケースのコンテンツの保護を向上するためだけで、小売、卸売業において既に展開されているシステムから、この種の収納ケースが除外されるのは好ましくない。
【特許文献１】米国特許５，５９８，７２８
【特許文献２】米国特許５，９８８，３７６
【発明の開示】
【発明が解決しようとする課題】
【０００４】
米国特許５，５９８，７２８および米国特許５，９８８，３７６によって示唆される保障された収納ケースは、製造が複雑で、従って、コストが高くつく。更に、これらの収納ケースによると、収納ケースのサイズが大きくなる。現在、収納ケースは、多量に低コストで製造しなければならない。更に、実質的に世界規模で統一された大きさのシステムに収容できなければならない。収納ケースのコンテンツの保護を向上するためだけで、小売、卸売業において既に展開されているシステムから、この種の収納ケースが除外されるのは好ましくない。
【課題を解決するための手段】
【０００５】
この発明は、多量に且つ低コストで生産することができる、例えばコンパクトディスクまたはＤＶＤ等の画像、音声またはデータ記憶媒体を収納するための収納ケースを創造するための解決法を提供するものであり、画像、音声またはデータ記憶媒体のコンテンツへの許可の無いアクセスに対して保護され、その大きさは収納ケースの通常の大きさを越えないものである。
【０００６】
この課題を解決するために、上述した特徴を備えた収納ケースが提案され、この収納ケースは、第１のベース材に接続され、収納ケースの内部に向かって延伸し、そして、その側方に位置する固定部品と結合する第１の固定機構と、第２のベース材に接続され、収納ケースの内部に向かって延伸し、そして、その側方に位置する固定部品と結合する第２の固定機構とを備えている。
【０００７】
そのコンテンツへのアクセスが保障されているこのタイプの収納ケースの外側の大きさは、このようなアクセス保障を伴わない収納ケースと同一大きさからなっている。卸売りおよび小売業において主として用いられている仕上げ、輸送および貯蔵システムは、異なる大きさに変更することなく、そのままでよく、従って、この発明の収納ケースは、全般として、非常にマーケットに優しい。
【０００８】
この発明の収納ケースは、製造容易な少数の部品を単に組み立てるだけであるので、多量に且つ低コストで製造が可能である。このように、この発明の固定構造は、ベース材の上に直接注入（射出成形）することができ、ＣＤまたはＤＶＤの収納ケースのベース材は、例えば、ポリプロピレン等の射出成形プラスチック部分からなっている。他の保護されていないケースと比較して、この発明の収納ケースにおいて唯一の分離することができる部品は、固定部品であって、収納ケースから引き抜くことができる。この固定部品は、その配置、構造、部材のアセンブリ故に、簡単な手段で製造することが可能であり、それに伴って、低コストで製造することができる。この発明の保護された収納ケースの製造コストは、対応する保護機能のない収納ケースの製造コストよりも相対的に少し高いだけである。
【０００９】
更に、有利な点は、固定構造の組み込みは、プロダクションコンテクストの中で既に行われており、収納ケースの貯蔵間に実施できることである。例えば、小売業におけるように、収納ケースに保護システムを後から取り付けることは、もはや必要ではない。収納ケースは、ＣＤまたはＤＶＤ製造者によって配達されたときにそのまま、販売スペース内に収められている。
【００１０】
この発明の収納ケースの有利な実施態様が従属クレームに記載されている。
この発明は、射出成形方法によって収納ケースの製造を改良することができ、ベース材の各々が、画像、音声またはデータ記憶媒体と平行に配置された主壁面、および、主壁面と直交して収納ケースを閉じる端壁面によって組み立てられ、そして、固定構造は、主壁面と一体的に形成されて、収納ケースの内側に向けて突出している。
【００１１】
第１の固定構造は、アーチ形状で内部空間に突出し、第２の固定構造は、鉤状に曲げられたラッチ形状で内部空間に突出していることが好ましい。
固定部品が第２の長軸縁部に平行に延びている棒状物からなっていることが特に好ましい。これによって、固定（保護）システムを収納ケース内に組み込む際に、著しく場所をとらない構造が可能になる。更に、棒状物を固定部品として使用することによって、機械的な保護が実行される収納ケースハンドルの実行長さを大きくすることができる。棒状物は、実質的に第２の長軸縁部の全長にわたって延伸し、そして、第１および第２の固定構造は、第２の長軸縁部のそれぞれの端部近傍に位置していることが特に好ましい。他の固定構造は、第２の長軸縁部の中央部分に配置することができ、その結果、この中央部において、収納ケースのベース材が無理やり折り曲げられることはない。  
【００１２】
更に、他の実施態様において、固定部品は、引く抜き方向において、第１および第２のベース材の少なくとも１つに対して、ポジティブフィット方法でブロックされている。好ましくは、固定部品は、引く抜き方向において、引き抜き方向に直交して延びるバネ付ブロック片によってブロックされている。ブロックを解除するために、ブロック片（２７）は、磁化可能な金属からなっており、固定部品（２０）に固定されている。この態様においては、先ず、磁力によって固定部品がブロックから解除され、それに次いで、固定部品を収納ケースから引き抜くことができる場合に限り、収納ケースを開くことができる。磁化可能な金属からなるブロック片が、固定部品に固定されているので、保護（固定）が解除された後は、ブロック片はもはや収納ケース内に配置しない。従って、既に解除された収納ケースをわたされたカスタマーが、ブロック片の正確な位置を確認することも、知識を駆使して収納ケースを操作することも不可能である。
【００１３】
この発明の収納ケースの他の態様において、収納ケースのハウジングには開口部が設けられ、開口部を通って固定部品が引き抜かれ、そして、固定部品にはプレートが設けられ、収納ケースを固定した状態においては、プレートが開口部を閉じる。好ましくは、ブロック片が、固定部品の上のプレートの直ぐ後に配置されている。このように、その断面積が実際に棒状の固定部品の残りの断面積よりも幾分大きいブロック片は、固定部品の引き抜きに際して、少し拡大された開口部を通過するだけでよく、固定構造のやや小さい通過断面を通過する必要は無い。
【００１４】
低コストで収納ケースを製造する、特に射出成形方法において、更に、固定構造対の１つが、第２のベース材の内側に沿って延びるラッチと一体的に形成され、内側に配置されるフォリオまたは書類の保持ラッチとして機能することが提案される。このようなラッチは、ＤＶＤを収納する現在の収納ケースに一般的に形成されている。更に、これらのラッチは、固定構造と１つの部材として一体的に形成することができる。これは、この発明の収納ケースの製造が、単に射出道具を相対的に小さく変更した後、従来の収納ケースが製造されていると同一製造装置によって行われることを意味する。
【００１５】
この発明の収納ケースの他の実施態様において、第１および第２の固定構造が、固定部品の長軸方向において相互にオフセットであり、そして、第１の固定構造は対として形成されており、固定部品の長軸方向からみたときに、第２の固定構造が第１の固定構造の対の間に位置している。
【００１６】
多くの場合、収納ケース内には、現実の画像、音声、またはデータ記憶媒体だけでなく、付属フォリオまたは書類等の印刷出版物を収納することが好ましい。この点に関して、この印刷出版物を可能な限り大きくする、即ち、収納ケースの内部の大きさよりも相対的に少し小さい程度まで大きくすることが望まれる。最大可能な付属書類のための空間は、基本的には、収納ケースに配置される追加の保障（固定）システムによって制限を受ける。
【００１７】
大きな付属書類のために必要な内部の広さは、更に他の実施態様によって提供される。即ち、第１のベース材は主部材であって、蓋と共に、収納ケースのハウジングを形成し、主部材にはその縁部に沿って小さな側壁面が設けられ、第１の固定構造は、小さな側壁面の高さを越えて延伸することはない。これによって、蓋の内部に、通常の大きさの付属フォリオまたは書類のための十分な空間を確保することができる。
【発明の効果】
【００１８】
この発明によって、多量に且つ低コストで生産することができ、画像、音声またはデータ記憶媒体のコンテンツへの許可の無いアクセスに対して保護され、その大きさは収納ケースの通常の大きさを越えない収納ケースが提供される。
【発明を実施するための最良の形態】
【００１９】
この発明の収納ケースのその他の有利な点およびその詳細を、図面を参照しながら説明する。
収納ケースは、下部の第１ベース材１および上部の第２ベース材から
形成された直方体のプラスチック箱に関する。第１のベース材１は、基本となる部分であり、第２ベース材２は収納ケースの蓋である。これらの詳細について説明する。プラスチック箱のハウジングは、２つの延伸する端壁面３、４、２つの短い端壁面５、６、上部の四角の壁面７および下部の四角の壁面８からなっている。上部の四角の壁面７は、第２ベース材２の基本となる表面を形成し、下部の四角の壁面８は、収納ケースの第１ベース材１の基本となる表面を形成している。壁面７、８および端壁面３、４、５、６によって収納ケースの閉じられた内部空間を形成し、その中に１以上のコンパクトディスク１３が位置する。
【００２０】
図１に示すように、ベース材１、２は、相互にダブルヒンジによって接合されている。ダブルヒンジは、延伸する端壁面３の領域に位置している。この点に関して、端壁面３は、基本部分を形成する第１ベース材１とダブルヒンジの第１リンケージ９ａを介して接合され、そして、蓋として機能する第２ベース材２と第２リンケージ９ｂを介して接合されている。両方の場合において、それぞれのヒンジは、所謂フィルムヒンジであり、即ち、射出成形によって、両方のベース材１、２と端壁面３とを一体的に形成したリンケージである。即ち、収納ケースの全体が、射出処理によって成形された単一のプラスチック部品であることを意味する。リンケージ９ａ、９ｂに頻繁に生じる曲げによって材質の低下をきたさないので、ポリプロピレンは、特に適している。  
【００２１】
端壁面３は、両リンケージ９ａ、９ｂと共に、収納ケースの第１の長軸縁部１０を形成する。第２の長軸縁部１１は、第１の長軸縁部１０に相対して配置されている。収納ケースは、第２の長軸縁部１１の部分において開けられる。図３は、第２の長軸縁部１１の部分において少し開けられた状態の収納ケースを示す。両端壁面４が接する第２の長軸縁部１１の部分において、別の協働結合部４ａを形成することができ、これを開放することによって、収納ケースがリンケージ９ａ、９ｂのまわりに旋回することができる。
【００２２】
画像、音声、またはデータ記憶媒体を収納ケースの第１のベース材１内に配置することができ、第１のベース材に、好ましくは環状の窪み部１２が設けられる。図１に示すように、合計２つのコンパクトディスク１３が窪み部１２内に位置する。コンパクトディスク１３は、第１のベース材の一部である中央ピン１４によってその中央穴部において保持される。第１のベース材１の内側に同様に別の区画１５が位置して、例えば、さらに四角のデータ記憶媒体を収納することができる。
【００２３】
図１−３に示すように、下部のベース材１は、上部のベース材２と同一寸法からなっている。特に、端壁面４、５、６は、上部のベース材の高さと概ね同じ高さからなっており、収納ケースを２つに分離する面は、収納ケースの概ね中央部である。このようにして、内部空間を２つに分離することができる。内部空間の第１のベース材１そのものによって形成される下部部分に、コンパクトディスクが配置される。第２のベース材そのものによって形成される内部空間の上部部分に別の空間が得られ、この別の空間は、好ましくは、例えば付属書類等の印刷出版物の収納に使用することができる。例えば、コンパクトディスクの使用に関する内容の書面説明書をこの付属書類に配置してもよい。
【００２４】
このタイプの付属書類１６の１つを図３に示す。付属書類１６は、スプリングタブまたはラッチ１８によって、上部ベース材２の内側部１７に保持され、ラッチ１８は上部ベース材上に、単一部材として形成されているのが確認できる。図示した実施態様に関して、特に図２に示すように、合計２つのラッチ１８が利用可能であり、これらのラッチ１８は、第２のベース材２の上部壁面７の内側部１７に沿って延伸している。ラッチ１８は、スプリング特性によって、内側部１７に位置する付属書類１６を保持するためのラッチとして機能する。
【００２５】
ラッチ１８が第２の長軸縁部１１の部分に配置される一方で、付属書類１６が、リンケージ端壁面３の内側部に形成されている第１の長軸縁部１０の部分におけるステップ１９によって支持される。
収納ケースには、固定システムが備えられて、収納物への無許可の接近に対して収納ケースを保護する。使用される固定部品は収納ケースから取り外し可能であり、取り外した後は、収納ケースは通常の方法で開閉することができる。固定システムの詳細は、主として図３および図４を参照して、以下に説明する。
【００２６】
固定システムの重要な部品として、第２の長軸縁部１１に平行に延びる延伸したロッド形状の固定部品２０があり、更に、第１のベース材１上の第１固定構造２１、および、第２のベース材上の第２固定構造２２がある。図示した例において、第１の固定構造２１はＵ字形部品であり、ベース部材の壁面８の内側部２３上に両下肢部を伴って形成されている。このように、アーク状部が形成され、別の固定部品２０の長軸方向に横断して延伸し、そして、ここを通って固定部品を通過させることができる。
【００２７】
第２固定構造２１は、スプリングラッチ１８と一体的に形成されており、一方の側が成形され他方が自由端であるラッチの形状からなっている。このラッチは、第１固定構造２２のように断面がＵ字形であるが、Ｕ字形の第１固定構造２１とは反対に配置されている。壁面７、８と実質的に平行に延びる第２固定構造２１のステップ２２ａは、ハウジングを閉じた状態においては、第１のベース材１の内側部上に位置する。収納ケースを閉じた状態での両固定構造２１、２２の配置に際しては、ロッド形状の固定部品２０の断面が正確に通過するパスが残る。この概念を説明する為に、図３は、収納ケースが固定された状態において固定部品が占める位置にあるロッド状の固定部品２０を破線で示している。但し、図３は、固定された状態ではなく、実際には、固定されていない状態における収納ケースを示している。
【００２８】
その結果、固定部品２０の挿入状態と連動して収納ケースが閉じられた状態では、相対する両ベース材１、２は組み立てられ、そこでは、第１の固定構造２１が、その側部で第２のベース材の方に向かって固定部品２０と係合し、第２の固定構造２２が、その側部で第１のベース材の方に向かって固定部品２０と係合する。この係合の結果、両ベース材１、２は相互に離れることができず、ハウジングの半分づつが相互に固定される。
【００２９】
ラッチ形状の第２の固定構造２２を既に利用可能なラッチ１８の上に直接形成することによって付属書類１６を固定することがコストの面で特に好ましい。第２の固定構造２２およびラッチ１８は、共通の接合部２４を介して、蓋の内側１７の上に形成される。
【００３０】
個々の固定構造の正確な位置は、図２に明確に示されている。それによると、第１の固定構造２１は、ペアワイズの仕方で、収納ケースの第２の長軸縁部１１の隅部および中央部にそれぞれ配置されている。符号番号２１ａ、２１ｂで、このタイプの１対を図２に示す。ボックスを閉じた状態では、固定部品２０の長軸方向において、第２の固定構造２２は、１対の第１の固定構造２１ａ、２２ｂの間に位置している。即ち、第１の固定構造２１および第２の固定構造２２は、固定部品の長軸方向において、相互にオフセットの状態にある。
【００３１】
図４に示すように、第２の長軸縁部１１に平行に延伸し、端壁面４から空間を隔てて位置する固定部品２０には、その一方の端部に固定されたプレート２５を備えている。プレート２５を含む固定部品２０は、プラスチックからなっている。プレート２５は、第１のベース材１に位置する開口部を閉じる大きさである。この開口部は、図４に示すように、延伸して、第１のベース材１の縁部を覆っている。固定部品はプレートに結合され、プレートは結合をより良くするために、小さな突起部２６を備えている。この結合によって、固定部品は収納ケースのハウジングから長軸方向に完全に引き抜かれる。この引き抜きは、固定部品が閉塞（ブロッケージ）から開放されてはじめて可能である。その理由は、完全に収納ケース内に位置している固定部品２０は、バネ付ブロック片２７を介して、第１のベース材１のブロックノーズ２８に向かって押し付けられるように、支持されているからである。
【００３２】
ブロック片２７は、好ましくは磁化可能なスチール板からなっており、プラスチックからなる固定部品２０に固定されており、従って、ブロック片２７は、ブロックノーズ２８からバネによって離れることができる。収納ケースが閉じた状態においては、ブロック片２７への機械的な接近はできない。収納ケースのハウジングに対して、下方から反発磁力が働く、または、上方から吸引磁力が働くように、磁力を配置する。これによって、ブロック片２７は、矢印２９に示す方向に移動して、ブロックノーズ２８から開放される。この状況になったときだけ、固定部品２０は収納ケースから完全に引き抜くことができ、収納ケースは固定位置から開放される。
【００３３】
図３および図４に示すように、固定システムの全ての部品は、下部ベース材１によって形成されるハウジングの半分内に形成されている。従って、上部ベース材２によって形成されるハウジングの半分は、完全に開放され、最大可能サイズの書類１６を収納することができる。
【図面の簡単な説明】
【００３４】
【図１】図１は、閉じられ、保障（固定）された状態におけるこの発明の収納ケースの断面図である。
【図２】図２は、開いた状態における収納ケースの主面として構成した第１のベース材を示す図である。
【図３】図３は、部分的に開いた状態における収納ケースの部分断面図である。
【図４】図４は、図２におけるＩＶ−ＩＶ線に沿う断面を示す部分断面図である。
【符号の説明】
【００３５】
１  ベース材、主面                  ２１、２１ａ  第１の固定構造            
２  ベース材、蓋                    ２２、２２ａ  第２の固定構造
３  端壁面                          ２３  ステップ
４  端壁面                          ２３ａ  内側部
４ａ  相互接続部材                  ２４  結合部
５  短い端壁面                      ２５  プレート
６  短い端壁面                      ２６  突出部
７  上部壁面、主壁面                ２７  ブロック片
８  下部壁面、主壁面                ２８  ブロックノーズ
９ａ  リンケージ                    ２９  矢印
９ｂ  リンケージ
１０  第１の長軸縁部
１１  第２の長軸縁部
１２  窪み部
１３  コンパクトディスク
１４  ピン
１５  ベイ
１６  付属書類
１７  内側部
１８  ラッチ
１９  ステップ
２０  固定部品
【図１】
2005529813.tif 000003
【図２】
2005529813.tif 000004
【図３】
2005529813.tif 000005
【図４】
2005529813.tif 000006
【国際調査報告】
2005529813.tif 000007
2005529813.tif 000008
2005529813.tif 000009
2005529813.tif 000010
2005529813.tif 000011
2005529813.tif 000012